(57)【要約】  内箱（１１）と外箱（１２）との間の空間に発泡断熱材が充填され、複数の配線（３０）を束ねてなるワイヤハーネス（２０）が発泡断熱材に埋設された冷蔵庫であって、ワイヤハーネスにおいて複数の配線の少なくとも１箇所が結束具（４０）によって扁平に結束されており、結束具の少なくとも一つが複数の配線の延伸方向を軸として湾曲または屈曲しており、内箱の２面が交わる角部において湾曲または屈曲した結束具が角部を巻き込むように内箱に取り付けられている。
2013183304.tif 000002
【特許請求の範囲】
【請求項１】
内箱と外箱との間の空間に発泡断熱材が充填され、複数の配線を束ねてなるワイヤハーネスが前記発泡断熱材に埋設された冷蔵庫であって、
前記ワイヤハーネスにおいて前記複数の配線の少なくとも１箇所が結束具によって扁平に結束されており、
前記結束具の少なくとも一つが前記複数の配線の延伸方向を軸として湾曲または屈曲しており、
前記内箱の２面が交わる角部において前記湾曲または屈曲した結束具が前記角部を巻き込むように前記内箱に取り付けられている
ことを特徴とする冷蔵庫。
【請求項２】
請求項１に記載の冷蔵庫において、
前記結束具が可撓性を有する素材で形成されている
ことを特徴とする冷蔵庫。
【請求項３】
請求項２に記載の冷蔵庫において、
前記結束具は、
可撓な板状の基部と、
一端が前記基部の一端と一体成型された長尺形状のタイ部と、
前記基部の表面に平面視垂直方向に突起して設けられ、前記タイ部が前記基部の平面視垂直方向へ離脱することを抑止しつつ前記タイ部が延伸方向に自在に移動できるように前記タイ部の少なくとも１箇所を掛止するフック部とを有するものであり、
前記複数の配線が前記基部と前記タイ部とで挟持されている
ことを特徴とする冷蔵庫。
【発明の詳細な説明】
【技術分野】
【０００１】
本発明は、冷蔵庫に関し、特に、冷蔵庫の庫内容積率および断熱効率を向上するための技術に関する。
【背景技術】
【０００２】
一般に、冷蔵庫の筐体は内箱と外箱とから構成され、内箱と外箱との間の空間には断熱層が形成されている。断熱層は、内箱と外箱とを組み合わせた後、外箱の注入口からウレタンフォームなどを注入して内部で発泡・硬化させることで形成される。また、冷蔵庫の内箱と外箱との間の空間には各種配線を束ねたワイヤハーネスが収容されている。ワイヤハーネスは断熱層の形成過程で発泡断熱材に埋設されている。【０００３】
近年の冷蔵庫の技術傾向として、庫内容積率の向上や真空断熱材（ＶＩＰ：Vacuum Insulation Panel）の活用などにより発泡断熱材の厚みは年々薄くなっている。また、庫内の各種センサやデバイスの増加により配線本数は増える傾向にある。このため、昨今では発泡断熱材の厚さとワイヤハーネスにおける配線の束ね径とがほぼ同じになっているような冷蔵庫も存在する。したがって、ワイヤハーネスがある部分では発泡断熱材の厚みが十分に確保できなかったり、ウレタンフォームの流路が阻害されることによるＶｏｉｄなどの発泡不良が発生したりする。その結果、発泡断熱材の断熱性が劣化して結露などの重大な問題を引き起こしてしまう。【０００４】
上記問題に対して、従来、各種配線をシート材で挟持接着した板状のハーネス組品を用いている例がある（例えば、特許文献１参照）。また、内箱の角部に溝を設けて、その溝に各種配線を収容している例がある（例えば、特許文献２参照）。また、冷蔵庫の断熱効率の向上が目的ではないが、各種配線を平坦に接合させ帯状に構成したフラットケーブルをワイヤハーネスとして用いている例がある（例えば、特許文献３参照）。
【先行技術文献】
【特許文献】
【０００５】
【特許文献１】特開平５−２０５５３２号公報
【特許文献２】特開２００６−１６２１４４号公報
【特許文献３】特開平７−２９４１０４号公報
【発明の概要】
【発明が解決しようとする課題】
【０００６】
フラットケーブルではブリッジ部の切り裂きを行うことにより耐電性の保証が難しくなり、また、端子のカシメ作業の自動化も難しいという問題がある。また、圧着コネクタの単価が高いため、全体的にコストアップとなる。また、シート材で各種配線を挟持したハーネス組品ではシート材によって必要以外の発泡流動部が阻害されるため断熱性が劣化する上、シート材を用いるため全体的にコストアップとなる。したがって、これらをワイヤハーネスとして用いることは有利ではない。一方、内箱の角部に溝を設けたり角部の面取りをしたりすることは冷蔵庫の庫内容積率を低下させることとなるため好ましくない。【０００７】
上記問題に鑑み、本発明は、比較的安価に冷蔵庫の庫内容積率および断熱効率を向上することを課題とする。
【課題を解決するための手段】
【０００８】
本発明の一局面に従った冷蔵庫は、内箱と外箱との間の空間に発泡断熱材が充填され、複数の配線を束ねてなるワイヤハーネスが前記発泡断熱材に埋設された冷蔵庫であって、前記ワイヤハーネスにおいて前記複数の配線の少なくとも１箇所が結束具によって扁平に結束されており、前記結束具の少なくとも一つが前記複数の配線の延伸方向を軸として湾曲または屈曲しており、前記内箱の２面が交わる角部において前記湾曲または屈曲した結束具が前記角部を巻き込むように前記内箱に取り付けられている。【０００９】
なお、前記結束具が可撓性を有する素材で形成されていてもよい。具体的には、前記結束具は、可撓な板状の基部と、一端が前記基部の一端に一体成型された長尺形状のタイ部と、前記基部の表面に平面視垂直方向に突起して設けられ、前記タイ部が前記基部の平面視垂直方向へ離脱することを抑止しつつ前記タイ部が延伸方向に自在に移動できるように前記タイ部の少なくとも１箇所を掛止するフック部とを有するものである。そして、前記複数の配線が前記基部と前記タイ部とで挟持されている。
【発明の効果】
【００１０】
本発明によると、ワイヤハーネスを安価に構成することができるとともに、断熱層の形成時にウレタンフォームの流路を十分に確保してＶｏｉｄなどの発泡不良をなくすことができる。また、内箱の角部に溝を設けたり面取りをしたりすることなく多数の配線を角部に配置することができる。これにより、比較的安価に冷蔵庫の庫内容積率および断熱効率を向上することができる。
【図面の簡単な説明】
【００１１】
【図１】本発明の一実施形態に係る冷蔵庫の筐体構造を示す模式図
【図２】本発明の一実施形態に係る冷蔵庫の断面図
【図３】一例に係る結束具の構成図
【図４】図３の結束具の使用状態を示す模式図
【発明を実施するための形態】
【００１２】
以下、図面を参照しながら本発明を実施するための形態について説明する。各図において同じ構成要素には同じ符号を付している。なお、本発明は、以下の実施形態に限定されるものではない。
【００１３】
図１は、本発明の一実施形態に係る冷蔵庫の筐体構造を模式的に示す。冷蔵庫の筐体は内箱１１と外箱１２とから構成される。内箱１１と外箱１２とを組み合わせたとき、それらの間には厚さ数十ｍｍの空間が形成される。外箱１２の表面に空いた注入口１００からウレタンフォームなどを注入し、内箱１１と外箱１２との間の空間でウレタンフォームが発泡・硬化することで内箱１１と外箱１２との間に断熱層が形成される。断熱層をより薄くしつつ断熱効率を向上するためにＶＩＰを併用することもある。この場合、ＶＩＰは外箱１２の内面に貼り付けるのが一般的である。
【００１４】
内箱１１にはワイヤハーネス２０が取り付けられている。ワイヤハーネス２０は断熱層において発泡断熱材に埋設されている。なお、内箱１１にはワイヤハーネス２０以外に各種デバイスも取り付けられているが、説明の便宜上、それらの図示は省略している。
【００１５】
ワイヤハーネス２０は、複数の配線３０の少なくとも１箇所を結束具４０によって束ねてなる。各配線３０は、図示しない各種デバイスやセンサなどに電力や信号を供給するための電線であり、その長さおよび太さはさまざまである。図示しないが、各配線３０は端末処理されており、適当な本数単位でプラグやコネクタが取り付けられている。
【００１６】
一つの結束具４０が束ねる配線３０の本数は数十本になることもある。ワイヤハーネス２０では複数の配線３０を丸く束ねるのではなく結束具４０を用いて扁平に束ねている。すなわち、ワイヤハーネス２０において複数の配線３０の少なくとも１箇所が結束具４０によって扁平に結束されている。
【００１７】
結束具４０による結束部分はできるだけ薄い、すなわち扁平であることが望ましい。例えば、結束具４０によって結束される配線３０の太さがすべて同じである場合には、これら配線３０が互いに重ならないように幅広に結束することで結束具４０による結束部分をもっとも薄くすることができる。一方、結束される配線３０の太さがさまざまである場合には、結束部分の厚みはもっとも太い配線３０の直径によって決まるため、細い配線３０どうしを重ねて結束してもよい。
【００１８】
結束具４０には、まっすぐに伸びた形状のものと、配線３０の延長方向を軸として湾曲または屈曲した形状のものとがある。ここでいう湾曲した形状とは、比較的大きな曲率で結束具４０が全体的に曲がっている形状をいい、屈曲とは結束具４０の一部、例えば、中央部分が比較的小さな曲率で曲がっている形状をいう。
【００１９】
内箱１１における平坦部（例えば、背面）にはまっすぐ伸びた形状の結束具４０が取り付けられる。一方、内箱１１の２面（例えば、背面と側面）が交わるような角部においては、湾曲または屈曲した形状の結束具４０が角部を巻き込むように取り付けられる。すなわち、結束具４０の曲がり具合はそれが取り付けられる内箱１１の角部の形状に依る。
【００２０】
なお、結束具４０の取り付け手段として接着剤や粘着テープによる貼着やネジ止めなどさまざまなものがあるが、そのいずれを採用してもよい。
【００２１】
図２は、本発明の一実施形態に係る冷蔵庫の断面を示す。図２（Ａ）は、内箱１１の平坦部の拡大断面を示し、図２（Ｂ）は、内箱１１の角部の拡大断面を示す。本例では外箱１２の内面に厚さ数ｍｍのＶＩＰ１３が取り付けられており、内箱１１とＶＩＰ１３とのギャップは２２ｍｍである。また、内箱１１の角部は適当な大きさの曲率半径でラウンドした形状をしている。配線３０として、例えばＡＷＧ（American Wire Gauge）換算値でＡＷＧ２６とＡＷＧ２０のものとが複数本混在している。
【００２２】
これら配線３０を丸く束ねるとその直径は発泡断熱材１４の厚みとほぼ同じとなることがあり、ウレタンフォームの注入時にその流路が阻害されてＶｏｉｄが発生してしまう。一方、本実施形態では、これら配線３０は結束具４０によって扁平かつ最薄に結束されており、厚みは数ｍｍ程度しかない。したがって、内箱１１と外箱１２との間の空間にウレタンフォームが阻害されることなく注入され、Ｖｏｉｄの発生を回避することができる。また、発泡断熱材１４の厚みは最薄のところでも十数ｍｍは確保することができ、断熱効率を良好に保つことができる。
【００２３】
結束具４０は、硬化性合成樹脂などで形成して容易に変形できないようなものであってもよいし、ポリアセタールやポリアミドなどの可撓性を有する素材で形成して内箱１１への取り付け時に容易に変形できるようなものであってもよい。後者の場合、ワイヤハーネス２０を内箱１１に取り付ける際、取り付け箇所の形状に応じて結束具４０を自在に変形することができる。また、熱可塑性樹脂シートをラミネート加工して結束具４０を形成してもよい。
【００２４】
図３は、可撓性を有する素材で形成した結束具４０の一例を示す。図３（Ａ）は、結束具４０の平面図であり、図３（Ｂ）は、図３（Ａ）中のＩ’側から見た結束具４０の側面図であり、図３（Ｃ）は、図３（Ａ）中のＩ−Ｉ’断面図である。結束具４０は、基部４１、タイ部４２、およびフック部４３からなり、基部４１とタイ部４２とで図示しない複数の配線を挟持する。基部４１は、可撓な素材で作られ、板状の形状をしている。基部４１を曲げやすくするために基部４１の裏面に適当な間隔で切欠き４５を設けてもよい。また、内箱１１への取り付けを容易にするために基部４１の裏面に両面テープを貼付してもよい。
【００２５】
タイ部４２は、可撓な素材で作られ、長尺形状をしている。タイ部４２の一端は基部４１の一端と一体成型されている。
【００２６】
フック部４３は、基部４１の表面に平面視垂直方向に突起して設けられている。フック部４３の上端部にはフック４６があり、フック４６がタイ部４２の幅方向の両端に引っかかることでタイ部４２が基部４１の平面視垂直方向に離脱することを抑止している。これにより、基部４１とタイ部４２とで配線が挟持されるようになっている。
【００２７】
また、フック部４３は、基部４１とタイ部４２とで挟持された配線が基部４１の長手方向にずれることを防ぐ「仕切り」の役割も果たす。このようなフック部４３を少なくとも１個設けてタイ部４２の少なくとも１箇所を掛止する（図３の例ではタイ部４２の５箇所を掛止している）ことで、適当な本数で配線を仕切って配線を安定的に結束することができる。特に、配線本数が少ない場合に有利である。
【００２８】
また、タイ部４２は、フック部４３に掛止されていても延伸方向に対して滑ることができるようになっている。すなわち、基部４１とタイ部４２とで配線を挟持した状態でタイ部４２は延伸方向に自在に移動できるようになっている。これにより、結束具４０を、配線を結束した状態で自在に曲げることができる。これは内箱１１の角部などの曲面の形状に合わせて結束具４０を曲げて取り付ける場合に有利である。
【００２９】
図４は、図３の結束具４０の使用状態を模式的に示す。図４（Ａ）は、結束具４０をまっすぐに伸びた状態で使用する場合の例を示し、図４（Ｂ）は、結束具４０を曲げた状態で使用する場合の例を示す。いずれの使用状態でも、複数の配線３０は結束具４０によって扁平に結束されており、容易にばらけないようになっている。
【００３０】
以上のように、本実施形態によると、ワイヤハーネス２０は特別な部材を用いることなく比較的安価に構成することができる。そして、結束具４０によって複数の配線３０を扁平に結束することにより、断熱層の形成時にウレタンフォームの流路を十分に確保してＶｏｉｄなどの発泡不良をなくすことができる。また、内箱１１の角部に溝を設けたり面取りをしたりすることなく多数の配線３０を角部に配置することができる。したがって、本実施形態によると、比較的安価に冷蔵庫の庫内容積率および断熱効率を向上することができる。
【産業上の利用可能性】
【００３１】
本発明に係る冷蔵庫は、比較的安価に庫内容積率および断熱効率を向上することができるため、家庭用および業務用の冷蔵庫や冷凍庫などとして有用である。
【符号の説明】
【００３２】
１１  内箱
１２  外箱
１４  発泡断熱材
２０  ワイヤハーネス
３０  配線
４０  結束具
４１  基部
４２  タイ部
４３  フック部
【図１】
2013183304.tif 000003
【図２】
2013183304.tif 000004
【図３】
2013183304.tif 000005
【図４】
2013183304.tif 000006
【国際調査報告】
2013183304.tif 000007
2013183304.tif 000008
2013183304.tif 000009
2013183304.tif 000010